(57)【要約】【課題】印鑑の種類によらずに印面を正確に撮像することのできる、汎用性に優れた印面撮像装置を提供する。【解決手段】印面撮像装置１は、紫外光Ｕによって励起される蛍光材１１Ａを印鑑４の印面４Ａに形成する蛍光材形成部１１と、印鑑４を保持する保持部２０と、保持部２０に保持された印鑑４の印面４Ａに紫外光Ｕを照射する照射部３０と、紫外光Ｕによって励起された蛍光材１１Ａが発する蛍光（可視光Ｖ）に基づいて印面４Ａを撮像する撮像部５０とを備える。【選択図】図１
2019200519.tif 000002
【特許請求の範囲】
【請求項１】
紫外光によって励起される蛍光材を印鑑の印面に形成する蛍光材形成部と、
前記印鑑を保持する保持部と、
前記保持部に保持された前記印鑑の前記印面に前記紫外光を照射する照射部と、
前記紫外光によって励起された前記蛍光材が発する蛍光に基づいて前記印面を撮像する撮像部と
を備える、印面撮像装置。
【請求項２】
前記照射部は、前記紫外光を前記印面の正面から照射するように構成される、請求項１に記載の印面撮像装置。
【請求項３】
前記照射部は、前記紫外光を出射する出射部と、
前記出射部により出射された前記紫外光が前記印面を正面から照射するように前記紫外光の伝搬方向を転換する伝搬方向転換部と
を含む、請求項２に記載の印面撮像装置。
【請求項４】
前記紫外光を遮断する遮断部をさらに備え、
前記遮断部は、前記蛍光が伝搬する方向において、前記保持部に保持された前記印鑑の前記印面と前記撮像部との間に配置される、請求項１から３のいずれか一項に記載の印面撮像装置。
【請求項５】
前記印鑑の印面を洗浄する洗浄部をさらに備える、請求項１から４のいずれか一項に記載の印面撮像装置。
【請求項６】
前記蛍光は可視光である、請求項１から５のいずれか一項に記載の印面撮像装置。
【請求項７】
紫外光によって励起される蛍光材を印鑑の印面に形成し、
前記印面に前記蛍光材を形成する前又は形成した後に、前記印鑑を保持部に保持し、
前記印鑑を保持した状態で、前記蛍光材が形成された前記印面に前記紫外光を照射し、
前記紫外光により励起された前記蛍光材が発する蛍光に基づいて前記印面を撮像する、印面撮像方法。
【請求項８】
前記印面に前記蛍光材を形成する前に前記印面を洗浄する、請求項７に記載の印面撮像方法。
【発明の詳細な説明】
【技術分野】
【０００１】
本発明は、印面撮像装置及び印面撮像方法に係り、特に印鑑の印面を撮像する印面撮像装置に関するものである。
【背景技術】
【０００２】
我が国の商習慣において、本人確認手段として取引書面に押印することが広く行われており、このような本人確認手段としての印鑑をデータベース化するニーズが多く存在する。そこで、このようなデータベース化のために、押印の際のユーザの押圧を圧力センサで検出することによって印鑑（印面）データを取得することが行われている。しかしながら、この方法では、ユーザの押圧力の大きさによってデータ精度が左右されてしまう。
【０００３】
そこで、このような問題を解決するために、印鑑の印面を囲むように複数の光源を配置した印面撮像装置が知られている（例えば、特許文献１参照）。この印面撮像装置では、複数の光源のそれぞれから順番に光を照射して印面の複数の画像データを取得し、これらの画像データを合成することによって印面が撮像（データ化）される。
【０００４】
しかしながら、光の反射率や吸収率などは印鑑の材料や色によって様々であり、印鑑の種類によって印面における反射パターンが異なるため、特許文献１のような印面撮像装置では、印面のデータ精度が印鑑の種類によって左右されてしまう。したがって、従来の印面撮像装置では、良好なデータを得るために印鑑の種類に応じて光源の配置などを調整する必要があり、汎用性に欠けるという問題があった。
【先行技術文献】
【特許文献】
【０００５】
【特許文献１】特開２０１１−１３８３７１号公報
【発明の概要】
【発明が解決しようとする課題】
【０００６】
本発明は、このような従来技術の問題点に鑑みてなされたもので、印鑑の種類によらずに印面を正確に撮像することのできる、汎用性に優れた印面撮像装置を提供することを第１の目的とする。
【０００７】
また、本発明は、印鑑の種類によらずに印面を正確に撮像することのできる印面撮像方法を提供することを第２の目的とする。
【課題を解決するための手段】
【０００８】
本発明の態様によれば、印鑑の種類によらずに印面を正確に撮像することのできる、汎用性に優れた印面撮像装置が提供される。この印面撮像装置は、紫外光によって励起される蛍光材を印鑑の印面に形成する蛍光材形成部と、上記印鑑を保持する保持部と、上記保持部に保持された上記印鑑の上記印面に上記紫外光を照射する照射部と、上記紫外光によって励起された上記蛍光材が発する蛍光に基づいて上記印面を撮像する撮像部とを備える。
【０００９】
このような構成によれば、印面に蛍光材を形成して該印面に紫外光を照射することができるため、励起反応が生じた部分のみを抜き出して画像データを生成することができる。したがって、印鑑の材料や色など（すなわち、印鑑の種類）に左右されることなく正確に印面を撮像することができ、優れた汎用性が実現される。
【００１０】
この態様において、上記照射部は、上記紫外光を前記印面の正面から照射するように構成されることが好ましい。そして、この場合、上記照射部は、上記紫外光を出射する出射部と、上記出射部により出射された上記紫外光が上記印面を正面から照射するように上記紫外線の伝搬方向を転換する伝搬方向転換部とを含んでもよい。このような構成により、印面以外の部分で蛍光が発生することが抑制され、印面がより正確に撮像される。
【００１１】
また、この態様において、印面撮像装置は上記紫外光を遮断する遮断部をさらに備えることが好ましい。この場合において、上記遮断部は、上記蛍光が伝搬する方向において、上記保持部に保持された上記印鑑の上記印面と上記撮像部との間に配置されることが好ましい。このような構成により、撮像部に向かって反射した紫外光が遮断部により遮断され、蛍光材が発する蛍光のみが撮像部に達するため、印面がより正確に撮像される。
【００１２】
また、この態様において、印面撮像装置は上記印鑑の印面を洗浄する洗浄部をさらに備えることが好ましい。このような構成により、印面に付着した朱肉や埃などを除去できるため、印面がより正確に撮像される。
【００１３】
なお、この態様において、上記蛍光は可視光であることが好ましい。このような構成により、印面を正確に撮像することが容易になる。
【００１４】
本発明の他の態様によれば、印鑑の種類によらずに印面を正確に撮像することのできる印面撮像方法が提供される。この印面撮像方法では、紫外光によって励起される蛍光材を印鑑の印面に形成する。そして、上記印面に上記蛍光材を形成する前又は形成した後に、上記印鑑を保持部に保持する。その後、上記印鑑を保持した状態で、上記蛍光材が形成された上記印面に上記紫外光を照射する。その後、上記紫外光により励起された上記蛍光材が発する蛍光に基づいて上記印面を撮像する。
【００１５】
この印面撮像方法によれば、印面に蛍光材を形成して該印面に紫外光を照射するため、励起反応が生じた部分のみを抜き出して画像データを生成することができる。したがって、印鑑の材料や色など（すなわち、印鑑の種類）に左右されることなく正確に印面を撮像することができる。
【００１６】
なお、この態様において、上記印面に前記蛍光材を形成する前に上記印面を洗浄することが好ましい。
【発明の効果】
【００１７】
本発明によれば、印鑑の種類によらずに正確に印面を撮像することのできる、汎用性に優れた印面撮像装置が提供される。
【図面の簡単な説明】
【００１８】
【図１】図１は、本発明の一実施形態における印面撮像装置の概略を例示的に示す概略図である。
【図２】図２は、本発明の一実施形態における印面撮像方法の一例を示すフローチャートである。
【発明を実施するための形態】
【００１９】
以下、本発明に係る印面撮像装置及び印面撮像方法の実施形態について図１及び図２を参照して詳細に説明する。
【００２０】
図１は本発明の一実施形態における印面撮像装置１の概略を例示的に示す概略図である。図１に示すように、印面撮像装置１は、印鑑４の印面４Ａを撮像するように構成される。この印面撮像装置１は、印面４Ａを洗浄等するための洗浄機構２と、印面４Ａを撮像する撮像機構３とを備えている。
【００２１】
印面撮像装置１の洗浄機構２は、印面４Ａを洗浄するため洗浄部１０と、印面４Ａに蛍光材１１Ａを形成するための蛍光材形成部１１とを含んでいる。洗浄部１０には洗浄材１０Ａが収容されており、蛍光材形成部１１には蛍光材１１Ａが収容されている。この蛍光材１１Ａは約３６０〜約４００ｎｍの波長の紫外光Ｕによって励起される材料であり、励起されることによって可視光Ｖ（蛍光又は放出光）が発生する。なお、洗浄材１０Ａや蛍光材１１Ａは、例えば液体の材料であってもよい。
【００２２】
一方、印面撮像装置１の撮像機構３は、印鑑４を倒した状態で保持できるように構成された保持部２０と、保持部２０に保持された印鑑４の印面４Ａに向かって励起光としての紫外光Ｕを照射する照射部３０と、紫外光Ｕを遮断する材料からなるＵＶフィルタ４０（遮断部）と、印面４Ａを撮像する撮像部５０と、照射部３０や撮像部５０に接続された制御部６０とを含んでいる。この制御部６０には、ディスプレイ６１、メモリ６２、及び電源６３などがさらに接続される。なお、上記メモリ６２は、例えば、フラッシュメモリやＵＳＢ（Universal Serial Bus）から構成されてもよい。
【００２３】
撮像機構３の照射部３０は、紫外光Ｕを出射するＵＶランプ３１（出射部）と、ＵＶランプ３１から出射された紫外光Ｕを印鑑４の印面４Ａに向かって反射させるプリズム３２とを有している。ＵＶランプ３１は、上記制御部６０に接続されている。このように、本実施形態におけるプリズム３２は、出射部としてのＵＶランプ３１により出射された紫外光Ｕが印鑑４の印面４Ａの正面から照射するように紫外光Ｕの伝搬方向を転換する伝搬方向転換部として機能するが、このような伝搬方向転換部として、プリズムに代えてハーフミラーを用いることもできる。
【００２４】
撮像機構３の撮像部５０は、ＣＣＤ（Charge Coupled Devices）やＣＭＯＳ（Complementary Metal Oxide Semiconductor）などからなる撮像素子５２と、印鑑４の印面４Ａの蛍光材が発する蛍光（可視光Ｖ）を撮像素子５２に集光するレンズ５１とを有している。撮像素子５２は上記制御部６０に接続されている。
【００２５】
図１に示すように、保持部２０と、プリズム３２と、ＵＶフィルタ４０と、レンズ５１と、撮像素子５２とは、レンズ５１のレンズ光軸Ｌに沿って一直線上に、すなわち、レンズ光軸方向に沿って一直線上に配置されている。また、保持部２０は、印鑑４の印面４Ａがプリズム３２に対向するように、かつ、印鑑４の中心軸がレンズ光軸Ｌ上に位置するように印鑑４を保持する。すなわち、撮像機構３は、レンズ光軸方向において、保持部２０の前方にプリズム３２が、プリズム３２の前方にＵＶフィルタ４０が、ＵＶフィルタ４０の前方にレンズ５１が、レンズ５１の前方に撮像素子５２が、それぞれ位置するように構成されている。
【００２６】
一方、図１に示すように、照射部３０のＵＶランプ３１及びプリズム３２は、上記レンズ光軸方向に垂直な方向（出射方向）に沿って一直線上に配置されている。このような構成により、ＵＶランプ３１から出射方向に出射された紫外光Ｕは、プリズム３２の反射面３２Ａで反射されて９０°方向転換し、保持部２０に保持された印鑑４の印面４Ａを正面から照射する。
【００２７】
次に、印鑑４の印面４Ａを撮像する印面撮像方法の一例について説明する。この印面撮像方法によれば、上記印面撮像装置１を使用して図２に示すステップＳ１〜ステップＳ６を行うことにより、正確に印面４Ａを撮像してデータ化することができる。
【００２８】
印面撮像装置１の使用者は、まず、洗浄部１０に収容された洗浄材１０Ａに印鑑４を浸して印面４Ａを洗浄する（ステップＳ１）。この工程により、印面４Ａに付着している朱肉や埃などが除去される。
【００２９】
次に、使用者は、蛍光材形成部１１に収容された蛍光材１１Ａの表面に印面４Ａを接触させる。これにより、印面４Ａの凹凸のうち凸の部分に蛍光材１１Ａが付着する（形成される）（ステップＳ２）。
【００３０】
次に、使用者は、印面４Ａに蛍光材１１Ａが形成された印鑑４を、撮像機構３の保持部２０に載置する。より具体的には、印面４Ａがプリズム３２の反射面３２Ａと正対するように印鑑４を倒した状態にし、保持部２０に設けられた保持部材（図示せず）を用いて印鑑４を保持する（ステップＳ３）。
【００３１】
その後、使用者は、印面撮像装置１の電源６３をオンにする。そうすると、制御部６０からＵＶランプ３１に信号が出力され、この信号を受けてＵＶランプ３１から紫外光Ｕが出射される。そして、この紫外光Ｕは、出射方向において前方に位置するプリズム３２の反射面３２Ａで反射して９０°方向転換する（すなわち、レンズ光軸方向に方向転換する）。その結果、方向転換した紫外光Ｕは、保持部２０に載置された印鑑４の印面４Ａを正面から照射する（ステップＳ４）。
【００３２】
ここで、印面４Ａの凹凸のうち凸の部分には、上記ステップＳ２において蛍光材１１Ａが形成されているため、印面４Ａに励起光としての紫外光Ｕが照射されることで蛍光材１１Ａが励起されて蛍光（可視光Ｖ）を発する。そして、この可視光Ｖがレンズ光軸方向（より具体的には、紫外光Ｕが印面４Ａを照射する方向と反対側の方向）に伝搬し、レンズ５１を介して撮像素子５２に集光される。撮像素子５２は、集光された可視光Ｖに基づいて印面４Ａを撮像する（ステップＳ５）。より具体的には、印面４Ａの凹凸のうち凸の部分から蛍光（可視光Ｖ）が発されるため、この凸の部分（すなわち、印面４Ａに刻印された文字や図形など）が撮像される。
【００３３】
そして、撮像されたデータは制御部６０に入力され、制御部６０によって印面４Ａの画像としてディスプレイ６１に出力されると共に、このデータがメモリ６２に保存される（ステップＳ６）。
【００３４】
以上のように、印面撮像装置１及び該印面撮像装置１を用いた印面撮像方法によれば、印鑑４の印面４Ａ（凸の部分）に蛍光材１１Ａを形成した上、この蛍光材１１Ａを紫外光（励起光）によって励起させ、蛍光材１１Ａが発する蛍光（可視光Ｖ）に基づいて印面４Ａ（凸の部分）が撮像される。すなわち、本実施形態によれば、印面４Ａのうち励起反応が生じた部分（凸の部分）のみを抜き出して画像データを生成することができるため、印鑑４の材料や色など（すなわち、印鑑の種類）に左右されることなく正確に印面４Ａを撮像することができ、優れた汎用性が実現される。
【００３５】
また、本実施形態によれば、印面４Ａに蛍光材１１Ａを形成する前に印面４Ａを洗浄することにより、印面４Ａから朱肉や埃などの不要物が除去されるため、不要物に由来する可視光を少なくすることができ、より正確に印面４Ａを撮像することができる。
【００３６】
また、本実施形態によれば、洗浄部１０と蛍光材形成部１１とが洗浄機構２として一つにまとめて配置されているため、合理的なシステムを構築し易くなる。
【００３７】
ところで、印面４Ａに蛍光材１１Ａを形成する際、印鑑４の胴体に蛍光材１１Ａが付着することがあり、この場合に印鑑４の胴体に紫外光が照射されると、胴体に付着した蛍光材１１Ａからも蛍光が生じてしまい、印面４Ａを正確に撮像できなくなるおそれがある。しかしながら、本実施形態によれば、照射部３０のプリズム３２によって、紫外光Ｕが印面４Ａの正面から照射されるように構成されているため、紫外光Ｕが印鑑４の胴体に照射されてしまうことが抑制される。すなわち、印鑑４の胴体から蛍光が生じることが抑制されるため、印面４Ａをより正確に撮像することができる。
【００３８】
また、本実施形態によれば、プリズム３２と撮像部５０との間に、すなわち、保持部２０に保持された印鑑４の印面４Ａと撮像部５０との間に、紫外光Ｕを遮断するＵＶフィルタ４０が配置されているため、紫外光Ｕが撮像部５０に向かって反射してきても、撮像部５０に達する前に、この紫外光ＵがＵＶフィルタ４０によって遮断される。そのため、撮像素子５２には蛍光材１１Ａが発する蛍光（可視光Ｖ）のみが集光されることとなり、印面４Ａをより正確に撮像することができる。
【００３９】
なお、上述の実施形態では、印鑑４を保持部２０に保持する前に印面４Ａに蛍光材１１Ａを形成する例を説明したが、他の実施形態では、印鑑４を保持部２０に保持した後に印面４Ａに蛍光材１１Ａを形成してもよい。すなわち、上記ステップＳ２と上記ステップＳ３（図２参照）との順番を逆にしてもよい。より具体的には、例えば、図１に示すように、蛍光材１１Ａが浸み込んだローラ９０を印面撮像装置にさらに設け、この印面撮像装置の保持部２０に印鑑４を保持した後、このローラ９０を印面４Ａに沿って回動させることによって印面４Ａ（凸の部分）に蛍光材１１Ａを形成（塗布）してもよい。このような構成によれば、ローラ９０が蛍光材形成部として機能するため、洗浄機構２に蛍光材形成部１１を設ける必要はない。
【００４０】
また、上述の実施形態では、印面４Ａの凹凸のうち凸の部分に蛍光材１１Ａを形成する例を説明したが、他の実施形態では、印面４Ａのうち凹の部分に蛍光材１１Ａを形成するようにしてもよい。このような構成によっても、上述の実施形態と同様に印面４Ａを正確に撮像することができる。
【００４１】
これまで本発明の好ましい実施形態について説明したが、本発明は上述の実施形態に限定されず、その技術的思想の範囲内において種々異なる形態にて実施されてよいことは言うまでもない。
【符号の説明】
【００４２】
１        印面撮像装置
２        洗浄機構
３        撮像機構
４        印鑑
４Ａ      印面
１０      洗浄部
１０Ａ    洗浄材
１１      蛍光材形成部
１１Ａ    蛍光材
２０      保持部
３０      照射部
３１      ＵＶランプ（出射部）
３２      プリズム（伝搬方向転換部）
３２Ａ    反射面
４０      ＵＶフィルタ（遮断部）
５０      撮像部
５１      レンズ
５２      撮像素子
６０      制御部
６１      ディスプレイ
６２      メモリ
６３      電源
９０      ローラ
Ｌ        レンズ光軸
Ｕ        紫外光
Ｖ        可視光
【図１】
2019200519.tif 000003
【図２】
2019200519.tif 000004